(57)【要約】  本発明は、高さ調節可能な卓上台に関連する。高さ調節可能な卓上台は、乗せ台（２）と、鋏の対のような構成を形成して、枢動可能に互いに接続された第１及び第２の脚要素（４、７）と、ここにおいて、第１の脚要素（４）は、それの第１の端（６）で乗せ台（２）に枢動可能に接続され、ここにおいて、第２の脚要素（７）は、複数の固定位置を有する固定構造（１０）を介して、それの第１の端（９）で乗せ台（２）に接続されるように適応され、一方で第２の脚要素（７）と、他方で第１の脚要素（４）と、又は、乗せ台（２）の間で接続されて、第２の脚要素（７）の第１の端（９）を、第１の脚要素（４）の第１の端（６）に向かう方向に付勢するように適応されたばね要素（１４；１８；２４）を備える。
2018520740.tif 000002
【特許請求の範囲】
【請求項１】
高さ調節可能な卓上台であって、
乗せ台（２）と、
鋏の対のような構成を形成して、枢動可能に互いに接続された第１及び第２の脚要素（４、７）と、
ここにおいて、前記第１の脚要素（４）は、それの第１の端（６）で前記乗せ台（２）に枢動可能に接続され、
ここにおいて、前記第２の脚要素（７）は、複数の固定位置を有する固定構造（１０）を介して、それの第１の端（９）で前記乗せ台（２）に接続されるように適応され、
一方で前記第２の脚要素（７）と、他方で前記第１の脚要素（４）と、又は、前記乗せ台（２）の間で接続されて、前記第２の脚要素（７）の前記第１の端（９）を、前記第１の脚要素（４）の前記第１の端（６）に向かう方向に付勢するように適応されたばね要素（１４；１８；２４）を備える、
高さ調節可能な卓上台。
【請求項２】
前記複数の固定位置のそれぞれは、前記高さ調節可能な卓上台の特定の高さに対応する、請求項１に記載の高さ調節可能な卓上台。
【請求項３】
前記ばね要素（１４）は、一方で前記第１の脚要素（４）の第２の端（５）に、他方で前記第２の脚要素（７）の第２の端（８）に接続される、請求項１又は２に記載の高さ調節可能な卓上台。
【請求項４】
前記複数の固定位置を形成するために、前記固定構造（１０）は、複数の歯を備える歯状のラックを備え、前記第２の脚要素（７）は、前記歯状のラックの異なる歯と係合するように配置された係合子を備える、請求項１乃至３のいずれか一項に記載の高さ調節可能な卓上台。
【請求項５】
前記歯状のラックの前記歯は、鮫の鰭の形状である、請求項４に記載の高さ調節可能な卓上台。
【請求項６】
前記歯状のラックの前記歯間の空間は、Ｕ字型である、請求項４に記載の高さ調節可能な卓上台。
【発明の詳細な説明】
【技術分野】
【０００１】
本発明は、高さ調節可能な卓上台（desktop stand）に関連する。
【背景技術】
【０００２】
人間工学的環境は、作業者の疲労、不快さ及び健康問題を低減することによって、生産性を最大化するように意図される。益々多くの人々が、より長い時間期間、机に着座することに伴うリスクを理解している。静的な着座の姿勢は、背中及び頸の痛みとともに精神的な疲れ、及び所謂「着座疾病」に対する増加されたリスクを導くことがある。
【０００３】
机から起立することによって、上述されたリスクは低減され得る。起立はまた、より多くのエネルギーを伴ってより多くのカロリーを燃やして、結果としてより良い集中を導き得る。健康的な作業実践のための最適な方法は、作業姿勢を起立と着座の間で変えることである。
【０００４】
殆どの高さ調節可能な作業空間は、普通のユーザにとっては高価過ぎる完全構造な机となっている。残念なことに、高さ調節可能である一方で安価で、使用するのに容易な卓上台のための良い選択肢はほとんどない。普通の机のみが利用可能である所において、可動性、及び立って作業できることへの必要性もある。
【発明の概要】
【０００５】
上記の観点から、上述された問題の少なくとも１つを解決することが本発明の目的である。
【０００６】
特に第１の態様にしたがうと、高さ調節可能な卓上台が提供される。高さ調節可能な卓上台は、卓上と、鋏の対のような構成を形成して、軸旋回して互いに接続された第１及び第２の脚要素と、ここにおいて、第１の脚要素は、それの第１の端で卓上に軸旋回して接続され、ここにおいて、第２の脚要素は、複数の固定位置を有する固定構造（locking arrangement）を介して、それの第１の端で卓上に接続されるように適応され、一方で第２の脚要素と、他方で第１の脚要素と、又は、卓上の間で接続されて、第２の脚要素の第１の端を、第１の脚要素の第１の端に向かう方向に付勢するように適応されたばね要素を備える。
【０００７】
高さ調節可能な卓上台は、多くの異なる状況で使用され得る。卓上が例えばコンピュータによって重み付けられても、比較的軽い力によって卓上の高さを調節することが可能である。その間固定設備は、卓上が望ましい作業する高さで確実に留まるようにする。高さ調節可能な卓上台は、その完全に折りたたまれた位置において、異なる使用場所の間で容易に動かされ得、保管するときに殆ど空間をとらない。高さ調節可能な卓上台は、ユーザが起立している及び着座している間両方で、装置、及び又は、乗せ台上に置かれた他のものを再び動かす必要なく作業することができるようにする。人間工学的な着座姿勢は、卓上台の平坦さによって、それが最低部位置にあるときに可能にされる。
【０００８】
複数の固定位置のそれぞれは、高さ調節可能な卓上台の特定の高さに対応し得る。
【０００９】
ばね要素は、一方で第１の脚要素の第２の端に、他方で第２の脚要素の第２の端に接続され得る。そうすることによって負荷は軽くされ、卓上の高さを調節するのをより容易にする。
【００１０】
複数の固定位置を形成するために、固定構造は、複数の歯を備える歯状のラック（rack）を備え得る。第２の脚要素は、歯状のラックの異なる歯と係合するように配置された係合子を備え得る。
【００１１】
歯状のラックの歯は、鮫の鰭の形状（shark-fin shaped）であり得る。
【００１２】
歯状のラックの歯の間の空間はさらに、Ｕ字型であり得る。
【００１３】
本発明の適用可能性のさらなる範囲が、以下で与えられる詳細な説明から明らかになろう。しかしながら、発明の範囲内でのさまざまな変更と修正が、この詳細な説明から当業者にとって明らかになるので、詳細な説明と特定の例は発明の好ましい実施形態を示す一方、例としてのみ与えられるものであることが理解されるべきである。
【００１４】
したがって、本発明は、記述された装置や記述された方法のステップの特定の構成要素部分に限定されるものではなく、このような装置と方法は変わり得ることが理解される。ここで使用される専門用語は、特定の実施形態のみを記述する目的であり、限定するように意図されるものではないことも理解される。明細書及び添付された特許請求の範囲において使用されるとき、冠詞「ａ」、「ａｎ」、「ｔｈｅ」及び「前記（ｓａｉｄ）」は、文脈が明確に違った風に示さない限り、要素のうちの１つ以上があることを意味するように意図されることが留意されなければならない。したがって、例えば「１つのユニット（ａ  ｕｎｉｔ）」又は「ｔｈｅ  ｕｎｉｔ」への言及は、いくつかの装置及びこれに類するものを含み得る。さらに、用語「備える（ｃｏｍｐｒｉｓｉｎｇ）」、「含む（ｉｎｃｌｕｄｉｎｇ）」、「含む（ｃｏｎｔａｉｎｉｎｇ）」、及び同様の言葉使いは、他の要素又はステップを除外するものではない。
【００１５】
本発明の上記及び他の態様は、発明の実施形態を示す添付された図面を参照して、ここでさらに詳細に記述される。図面は発明を特定の実施形態に限定するように考慮されるべきではなく、代わりにそれらは発明を説明及び理解するのに使用される。
【００１６】
図面において図示されるように、層及び領域の寸法は説明の目的で強調されており、したがって本発明の実施形態の一般的な構造を説明するように提供される。類似の参照数字は、全体を通して類似の要素を指す。
【図面の簡単な説明】
【００１７】
【図１】図１は、高さ調節可能な卓上台の側面図を図示する。
【図２】図２は、図１による高さ調節可能な卓上台の斜視図を図示する。
【図３】図３は、代替的な高さ調節可能な卓上台の、下からの図を図示する。
【図４】図４は、さらなる代替的な高さ調節可能な卓上台の斜視図を図示する。
【発明を実施するための形態】
【００１８】
ここで本発明は、発明の現在好ましい実施形態が示された付随する図面を参照して、下でさらに完全に記述される。しかしながら本発明は、多くの異なる形態で具現化され得、ここで明らかとなった実施形態に限定されるものとして解釈されるべきではない。むしろ、これらの実施形態は、完璧さと完全性のために、発明の範囲を当業者に完全に伝えるために提供される。
【００１９】
図１及び図２は、高さ調節可能な卓上台１を図示する。図１において示されるように、高さ調節可能な卓上台１は、表面２３上に置かれ得る。表面２３は、例えば机又はテーブルの卓上であり得る。高さ調節可能な卓上台１は乗せ台２、脚要素４、７の対を備える。
【００２０】
脚要素４、７の対は、第１の脚要素４と第２の脚要素７を備える。第１及び第２の脚要素４、７は、枢軸接合部１１で互いに枢動可能に接続される。したがって、第１及び第２の脚要素４、７は、鋏の対のような構成を形成している。第１の脚要素４は、それの第１の端６で乗せ台２に枢動可能に接続される。第２の脚要素７は、それの第１の端９で固定構造１０を介して乗せ台２に接続されるように適応される。固定構造１０は、複数の固定位置を有している。固定構造１０は、複数の歯を備えている歯状のラックを備える。歯状のラックにおける各歯は、固定構造１０の固定位置のうちの１つに対応する。第２の脚要素７の係合子は、特定の固定位置に固定構造１０を設定するために、歯状のラックの歯に係合するように配置される。係合子は、第２の脚要素７の第１の９端において配置される。
【００２１】
高さ調節可能な卓上台１は、固定構造１０中の係合子の位置決めを設定することによって、高さにおいて調節可能である。平面は、第１の要素４の第１の端６と、第２の脚要素７の第１の端９との間で規定され得る。平面は、乗せ台２と並行である。乗せ台２の第１の端１７を持ち上げるとき、固定構造１０中の歯状のラックの歯は、係合子から上昇される。係合子はその後、歯の下のレールにおいて動くように解放される。固定構造１０は、乗せ台２の第１の端１７に位置付けられる。平面に関連して直角をなす乗せ台２を動かすことによって、高さが調節される。すなわち、乗せ台は表面２３に関連して垂直方向に動かされる。乗せ台２の上面上の物体の重さに依存して、乗せ台２の高さを調節するために適用されることになる異なる力が要求され得る。乗せ台２が所望の高さに位置付けられたとき、乗せ台２の第１の端１７が低くされる。乗せ台２の第１の端１７を低くすることで、係合子を歯ラックと係合させる。これは固定構造１０の複数の固定位置のうちの１つ中に係合子を位置することである。係合子は、歯状のラックの歯と係合するように配置された要素である。係合子の限定的でない例は、だぼ（a dowel）又は釘（a peg）である。
【００２２】
したがって、高さ調節可能な卓上台１は、所望の水平方向の高さに持ち上げられ及び／又は低くされ得る。これは、ユーザが彼女の手を、乗せ台２の第１の端１７と第２の端１６に保持することによって行われる。乗せ台２の第１の端１７を操作することによって、ユーザは固定構造１０の固定位置から係合子を除去して、その後乗せ台２を所望の段階の高さまで上げ及び／又は下げ得る。所望の段階の高さで高さ調節可能な卓上台１を固定するために、係合子が固定構造１０と係合するように、ユーザは所望の段階の高さで乗せ台２の第１の端を再び操作する。
【００２３】
１つの実施形態において、固定構造１０中の歯状のラックの歯は、鮫の鰭形状の外形を有し得る。鮫の鰭形状の外形は、歯の一側面で、歯と歯状のラックの基部の間に９０度以上の角度を備え、歯の別の側面で、前述の歯と歯状のラックの基部の間に９０度以下の角度を備えることが理解される。
【００２４】
鮫の鰭形状の外形を有することによって、係合子は、固定位置においてより安全に位置付けられる。丸みを帯びた形状を歯の一側面上に有することによって、係合子は、歯状のラック１０の歯の下で一方向に容易に動くことができる。
【００２５】
別の実施形態において、歯状のラックの歯間の空間は、Ｕ字型の外形を有し得る。歯状のラックの歯間のＵ字型の空間は、歯状のラックの歯に対する係合子の安全な固定を確実にする。
【００２６】
１つの実施形態において、図２において図示された脚要素４、７は、２つの脚対を備え得る。対応する脚要素４、７の第２の端５、８において、２つの脚対は、１つ以上の支柱によって接続され得る。支柱は、脚対内側の任意の所定の位置で位置付けられ得る。支柱は、表面２３に対する摩擦に影響を与えるように設計され得る。第１の脚要素４の第２の端と、乗せ台２の脚要素７の第２の端は、表面２３に対する増加された摩擦を有するように設計される。脚要素４、７と表面２３の間の摩擦は、卓上を押し下げるのに要求される横方向の力に影響を与える。以下で記述されるように、脚要素４、７と表面２３の間の摩擦はまた、脚要素４、７がともに引っぱられる力に影響を与える。
【００２７】
別の実施形態において、脚要素４、７のうちの少なくとも１つは、厚板又は板を備え得る。
【００２８】
当業者は、例えばトラスのような構想を含むことによって、及びさまざまな材料を使用することによって、安定性と強度に関して脚要素の作用をさらに制御するために、足要素の他の形状と組み合わせを考えることができる。
【００２９】
高さ調節可能な卓上台１はさらに、ばね要素を備える。図１と図２において示された実施形態において、ばね要素１４は、一方では第１の脚要素４の第２の端５で、他方では第２の脚要素７の第２の端８で接続される。しかしながら、図３と図４に関連して説明されるように、ばね要素の他の構成も適用可能であり得る。
【００３０】
図２の実施形態のばね要素１４は、一方では第２の脚要素７と、他方では第１の脚要素４との間で接続される。さらに、ばね要素１４は、第２の脚要素７の第１の端９を、第１の脚要素４の第１の端６に向かう方向に付勢するように適応される。
【００３１】
高さ調節可能な卓上台１は、その最も低い位置に押し下げられ得る。その位置において、高さ調節可能な卓上台は、完全に折りたたまれる。完全に折りたたまれた高さ調節可能な卓上台は、沢山の空間をとることなく保管されることができる。さらに、完全に折りたたまれた高さ調節可能な卓上台は、着座した時の使用のために人間工学的である。
【００３２】
１つの実施形態において、乗せ台２は、脚要素４、７、空洞１５を提供するように設計され得る。空洞１５は、完全に折りたたまれたとき高さ調節可能な卓上台の嵩を低減する。これにより、完全に折りたたまれた位置において小型設計が達成される。これは、高さ調節可能な卓上台１のユーザが着座位置において作業しているとき、良い経済的側面を維持する。付加的に、小型設計は審美的にも心地よい。
【００３３】
脚要素４、７は、固定機構によって最も低い位置において固定され得る。固定機構は、第１及び第２の固定要素１２、１３を備える。第１及び第２の固定要素１２、１３は、互いに結合するように配置される。第１の固定要素は、第１及び第２の脚要素４、７のうちの１つにおいて配置される。第２の固定要素は、乗せ台２において配置される。
【００３４】
上で議論されたように、脚要素４、７は、２つの脚対を備え得る。２つの脚対は、支柱によって接続され得る。さらに、ばね要素１４は、第１の脚要素の１つの支柱を、第２の脚要素の支柱に接続し得る。
【００３５】
当業者は、本発明は決して上述された実施形態に限定されるものではないことを理解する。対照的に、添付された特許請求の範囲内で多くの修正及び変形が可能である。
【００３６】
例えば、ばね要素１４は、弾性のある材料（例えばゴムバンド）、渦巻ばね又はガススプリングを備え得る。
【００３７】
さらに、乗せ台２の領域は変えられ得る。特に乗せ台２の領域は、十分大きな作業面が達成され得るように配置され得る。
【００３８】
さらに、図３において図示されるように、ばね要素は、一方で第２の脚要素７と、他方で乗せ台２の間で接続されたばね要素１８として具現化される。ばね要素１８は、乗せ台２の空洞２２において配置され得る。乗せ台２はばね要素１８のための空洞が装備される必要がないことが理解される。ばね要素１８は、ばね要素１８と第２の脚要素１７の間の相互作用点１９ａで第２の脚要素７上で作動することによって、第２の脚要素７に接続されるように配置される。ばね要素１８は、接続部分１９ｂで乗せ台２に接続されるように配置される。ばね要素１８は、第２の脚要素７の第１の端９を、第１の脚要素４の第１の端６に向かう方向に付勢するように適応される。これは矢印２１によって説明される。ばね要素１８は、弾性のある材料（例えば、ゴムバンド）、渦巻ばね又はガススプリングとして具現化され得る。
【００３９】
さらに、図４において図示されるように、ばね要素はねじりばね２４として具現化され得る。ねじりばね２４は、枢軸接合部１１に関連して配置される。
【００４０】
高さ調節可能な卓上台１は、上で議論された１つ又は複数の異なるタイプのばね要素を備えることが理解される。例えば、図４において高さ調節可能な卓上台１は、一方で第２の脚要素７と、他方で乗せ台２の間で接続されたばね要素１８と、枢軸接合部１１に関連して配置されたねじりばね２４両方を備え得る。示された実施形態において、高さ調節可能な卓上台１は、矩形の乗せ台２を備える。しかしながら、乗せ台２は、正方形、楕円形、円形等のような他の形状を有し得る。
【００４１】
さらに、乗せ台２は縁が提供され得る。縁は、物品が乗せ台２から落ちるのを防ぐように配置され得る。
【００４２】
付加的に、開示された実施形態に対する変形は、図面、開示、及び添付された特許請求の範囲の研究から、特許請求の範囲に記載された発明を実施する際、当業者によって理解されて影響を与えられることがある。
【図１】
2018520740.tif 000003
【図２】
2018520740.tif 000004
【図３】
2018520740.tif 000005
【図４】
2018520740.tif 000006
【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
高さ調節可能な卓上台であって、
乗せ台と、
鋏の対のような構成を形成して、枢動可能に互いに接続された第１及び第２の脚要素と、
ここにおいて、前記第１の脚要素は、それの第１の端で前記乗せ台に枢動可能に接続され、
ここにおいて、前記第２の脚要素は、複数の固定位置を有する固定構造を介して、それの第１の端で前記乗せ台に接続されるように適応され、
一方で前記第２の脚要素と、他方で前記第１の脚要素と、又は、前記乗せ台の間で接続されて、前記第２の脚要素の前記第１の端を、前記第１の脚要素の前記第１の端に向かう方向に付勢するように適応されたばね要素を備える、
高さ調節可能な卓上台。
【請求項２】
前記複数の固定位置のそれぞれは、前記高さ調節可能な卓上台の特定の高さに対応する、請求項１に記載の高さ調節可能な卓上台。
【請求項３】
前記ばね要素は、一方で前記第１の脚要素の第２の端に、他方で前記第２の脚要素の第２の端に接続される、請求項１に記載の高さ調節可能な卓上台。
【請求項４】
前記複数の固定位置を形成するために、前記固定構造は、複数の歯を備える歯状のラックを備え、前記第２の脚要素は、前記歯状のラックの異なる歯と係合するように配置された係合子を備える、請求項１に記載の高さ調節可能な卓上台。
【請求項５】
前記歯状のラックの前記歯は、鮫の鰭の形状である、請求項４に記載の高さ調節可能な卓上台。
【請求項６】
前記歯状のラックの前記歯間の空間は、Ｕ字型である、請求項４に記載の高さ調節可能な卓上台。
【請求項７】
前記ばね要素は弾性のある材料、渦巻ばね又はガススプリングとして具現化される請求項１に記載の高さ調節可能な卓上台。
【手続補正２】
【補正対象書類名】明細書
【補正対象項目名】００４２
【補正方法】変更
【補正の内容】
【００４２】
付加的に、開示された実施形態に対する変形は、図面、開示、及び添付された特許請求の範囲の研究から、特許請求の範囲に記載された発明を実施する際、当業者によって理解されて影響を与えられることがある。
以下に、本願出願の当初の特許請求の範囲に記載された発明を付記する。
［１］  高さ調節可能な卓上台であって、
乗せ台（２）と、
鋏の対のような構成を形成して、枢動可能に互いに接続された第１及び第２の脚要素（４、７）と、
ここにおいて、前記第１の脚要素（４）は、それの第１の端（６）で前記乗せ台（２）に枢動可能に接続され、
ここにおいて、前記第２の脚要素（７）は、複数の固定位置を有する固定構造（１０）を介して、それの第１の端（９）で前記乗せ台（２）に接続されるように適応され、
一方で前記第２の脚要素（７）と、他方で前記第１の脚要素（４）と、又は、前記乗せ台（２）の間で接続されて、前記第２の脚要素（７）の前記第１の端（９）を、前記第１の脚要素（４）の前記第１の端（６）に向かう方向に付勢するように適応されたばね要素（１４；１８；２４）を備える、
高さ調節可能な卓上台。
［２］  前記複数の固定位置のそれぞれは、前記高さ調節可能な卓上台の特定の高さに対応する、［１］に記載の高さ調節可能な卓上台。
［３］  前記ばね要素（１４）は、一方で前記第１の脚要素（４）の第２の端（５）に、他方で前記第２の脚要素（７）の第２の端（８）に接続される、［１］又は［２］に記載の高さ調節可能な卓上台。
［４］  前記複数の固定位置を形成するために、前記固定構造（１０）は、複数の歯を備える歯状のラックを備え、前記第２の脚要素（７）は、前記歯状のラックの異なる歯と係合するように配置された係合子を備える、［１］乃至［３］のいずれか一項に記載の高さ調節可能な卓上台。
［５］  前記歯状のラックの前記歯は、鮫の鰭の形状である、［４］に記載の高さ調節可能な卓上台。
［６］  前記歯状のラックの前記歯間の空間は、Ｕ字型である、［４］に記載の高さ調節可能な卓上台。
【国際調査報告】
2018520740.tif 000007
2018520740.tif 000008
2018520740.tif 000009
2018520740.tif 000010